(57)【特許請求の範囲】
【請求項１】
両サイドから複数本ずつ同じ高さで内側に向けて突き出した支持棒の列が複数段に渡って設けられ、その同じ段の支持棒上に一枚のガラス板を載置するようにして複数のガラス板を収納するカセットであって、前記支持棒は、載置したガラス板の位置ずれ防止手段として、載置したガラス板に押されて下方に移動する小さな突起を長さ方向に渡って連続的に備えていることを特徴とするガラス板搬送用カセット。
【請求項２】
押圧変形が可能な弾性部材で突起を形成した請求項１に記載のガラス板搬送用カセット。
【請求項３】
弾性的に付勢された移動部材で突起を形成した請求項１に記載のガラス板搬送用カセット。
【請求項４】
支持棒の中心軸の回りで回転可能な回転部材における膨出部分を突起に用いた請求項１に記載のガラス板搬送用カセット。
【発明の詳細な説明】
【０００１】
【発明の属する技術分野】
本発明は、複数枚のガラス板を収納して搬送するのに使用するカセットに関するものである。
【０００２】
【従来の技術】
ガス放電表示パネルは、大画面でしかもスペースを取らない所謂“壁掛けテレビ”としてその将来が期待されている。現在、この表示パネルの基板にはガラス板が使用されており、このガラス板には基板としての必要な機能を持たせるために種々の加工が施されている。製造時においてガラス板はこれらの加工を行う各工程の間を移動させる必要があるが、この場合、効率を考慮して複数枚のガラス板を一つのカセットに収納してまとめた状態で移動している。
【０００３】
従来このようなガラス板搬送用カセットとして図１及び図２に示すものが使用されている。このカセットは上板１と下板２、そしてこれらを繋ぐ左右それぞれ５本のサイド棒３とでフレームを構成し、各サイド棒３にガラス板Ｐを載置するための溝３ａを等間隔で６段形成したものである。そして、溝３ａにより形成される各段部にガラス板Ｐの端部が載るようにして６枚のガラス板Ｐをそれぞれ動かない状態で収納している。具体的には、奥の２本のピン棒４，５に突き当たるようにしてガラス板Ｐを上から順にカセット内に収納し、６枚分を収納してから手前のピン棒６を上板１と下板２の間に通して前後方向の移動を防止するものである。
【０００４】
【発明が解決しようとする課題】
ところで、上記のようなガス放電表示パネルには種々のサイズがあるので、基板の加工時にはロット毎にサイズの異なるガラス板を各工程間で搬送する必要が出てくる。このような場合、従来の技術で述べた搬送用カセットでは、収納する基板のサイズが決まっているため、種々のサイズのガラス板に対応したカセットをそれぞれ準備する必要があり、しかも多数のカセットの保管スペースが必要となる。また、カセットのサイズが変わると、その製造ライン内の物流機器の段取り替えが必要となる。
【０００５】
本発明は、上記のような問題点に鑑みてなされたもので、その目的とするところは、サイズの異なるガラス板に対応できるガラス板搬送用カセットを提供することにある。
【０００６】
【課題を解決するための手段】
上記目的を達成するため、本発明のガラス板搬送用カセットは、両サイドから複数本ずつ同じ高さで内側に向けて突き出した支持棒の列が複数段に渡って設けられ、その同じ段の支持棒上に一枚のガラス板を載置するようにして複数のガラス板を収納するカセットであって、前記支持棒は、載置したガラス板の位置ずれ防止手段として、載置したガラス板に押されて下方に移動する小さな突起を長さ方向に渡って連続的に備えていることを特徴とする。
【０００７】
上記のような突起は、押圧変形が可能な弾性部材それ自体で形成するか、弾性的に付勢された移動部材で形成することができる。或いは、支持棒の中心軸の回りで回転可能な回転部材における膨出部分を突起に用いるようにしてもよい。
【０００８】
【発明の実施の形態】
以下、図面を参照して本発明の実施形態について説明する。図３は本発明に係るガラス板搬送用カセットの一例を示す正面図、図４は右側面図、図５は図３のＡ−Ａ断面図である。
【０００９】
本発明のカセットは、大きなサイズのガラス板を収納する場合も小さなサイズのガラス板を収納する場合にも使用するため、即ちサイズの異なるガラス板に対応させるので、水平面方向には収納する最大サイズのガラス板の面積を確保でき、しかも上下方向には所定枚数を収納できる高さのフレームを必要とするものであり、図示のカセットでは、上板１１と下板１２、そしてこれらを繋ぐ左右それぞれ５本のサイド板１３とでフレームが形成されている。これらの上板１１、下板１２、サイド板１３は強度、重量及び耐久性を考慮するとアルミニウム製であることが好ましい。上板１１は１枚のフラットな板でよいが、下板１２はガラス板Ｐを出し入れするための治具が出入りできるように大きく開口している必要がある。
【００１０】
各サイド板１３には内側に向けて突き出した同じ長さの支持棒１４が上下方向に等間隔で６本ずつ取り付けられている。すなわち、支持棒１４は両サイドから５本ずつが同じ高さで列を形成するように内側に向けて突き出し、その支持棒１４の列が６段に渡って設けられている。そして、図示の如くその同じ段の支持棒１４の上に一枚のガラス板Ｐを載置するようにして６枚のガラス板Ｐが収納できるようになっている。ガラス板Ｐは幅方向で言えばカセットの中央に収納されるので、支持棒１４は収納する最小サイズのガラス板を受け止めるのに十分な長さであればよい。図５においてＭは収納するガラス板の最大サイズを示し、ｍは最小サイズを示している。
【００１１】
このようにサイズの異なるガラス板を収納するため、最大サイズＭのガラス板を収納した場合にはカセットの移動中にガラス板がずれるようなことはないが、それより小さなサイズのガラス板を収納した場合はカセット移動中の慣性力によりガラス板は支持棒１４の上で滑ってずれてしまう。そこで、載置したガラス板に押されて下方に移動する小さな突起を支持棒の長さ方向に渡って連続的に設けることで位置ずれを防止することができる。
【００１２】
図６はこのような位置ずれ防止手段の一例を示すもので、押圧変形が可能な弾性部材１５を支持棒１４から斜め上方に突き出るようにして、支持棒１４の長さ方向に渡って連続的に取り付けてある。弾性部材１５はゴム、樹脂等で作製したものを使用すればよい。ガラス板Ｐが支持棒１４の上に載置されると、ガラス板Ｐの下になる弾性部材１５はガラス板Ｐの重さで変形して図示のように斜めに倒れ、ガラス板Ｐの外側にある変形してない弾性部材１５によりその左右の動きを制限されるので支持棒１４の上でずれることがない。
【００１３】
図７は位置ずれ防止手段の別の例を示すもので、弾性的に付勢された移動部材１６を支持棒１４から上方に突き出るようにして、支持棒１４の長さ方向に渡って連続的に取り付けてある。移動部材１６はバネ等で付勢された硬質のものを使用し、支持棒１４に設けた穴から突き出るようにして設置すればよい。ガラス板Ｐが支持棒１４の上に載置されると、ガラス板Ｐの下になる移動部材１６はガラス板Ｐの重さで穴の中に移動してへっこみ、ガラス板Ｐの外側にある下降してない移動部材１６によりその左右の動きを制限されるので支持棒１４の上でずれることがない。また、図７に示す例において、硬質の素材の代わりに弾性変形する軟質の素材を使用するようにしてもよく、このようにすれば移動部材１６が弾性部材となるので、バネ等の付勢部材は不要となる。
【００１４】
図８は位置ずれ防止手段のさらに別の例を示すもので、支持棒１４の中心軸１４ａの回りで回転可能な回転部材１７を中心軸１４ａに沿って連続的に多数取り付けてあり、その回転部材１７の膨出部分１７ａを突起に用いている。この膨出部分１７ａは先端が丸みを帯びた三角形状にしてある。各回転部材１７は膨出部分１７ａが自然と斜め上方を向くように重りで付勢されており、ガラス板Ｐが支持棒１４の上に載置されると、ガラス板Ｐの下になる回転部材１７は膨出部分１７ａが押されることで図６（ｂ）のように回動し、ガラス板Ｐは回動した回転部材１７の上に載ることになる。そして、ガラス板Ｐの外側にある回動してない回転部材１７によりその左右の動きを制限されるので支持棒１４の上でずれることがない。
【００１５】
支持棒１４は通常その断面が円形状であり、加工上の観点からすると断面が円形状であるのが都合がよい。しかし、断面形状は角形であっても構わない。また、ガラス板が載る部分にゴム系材料を設けてもよい。ゴム系材料としては添加剤の滲み出しの少ないものを使用するのが好ましい。具体的には、ポリエステルエラストマーが挙げられる。このゴム系材料は支持棒１４の周囲全体に渡って設ける必要はなく、取付け方法さえ確実であれば、ガラス板Ｐが当接する部分にのみ設ければ十分である。このようにガラス板Ｐとの接触部分にゴム系材料を使用すると、ガラス板Ｐと支持棒１４との摩擦力が大きくなるので、ガラス板Ｐと段差の間に多少の隙間があってもガタツキが少なくなる。また、ガラス板Ｐの前後方向の移動を防止する作用もある。
【００１６】
このように支持棒１４に下方に移動可能な小さな突起を長さ方向に渡って連続的に設けることで、カセット移動中におけるガラス板Ｐの位置ずれを防止できるが、前後方向への脱落を防止するため、上板１１と下板１２の間にピン棒を通すようにするとよい。例えば、図５のａ，ｂの位置にピン棒を通した状態とし、この状態でガラス板Ｐを上から順に収納していき、収納作業が完了してから図５のｃの位置にピン棒を通して前後方向の移動を防止すればよい。ここで挙げたカセットに最大サイズＭのガラス板を収納する場合は、図５に示すようにガラス板は幅方向をサイド板１３により前後方向をピン棒により位置ずれを防止される。
【００１７】
【発明の効果】
以上説明したように、本発明のガラス板搬送用カセットは、両サイドから複数本ずつ同じ高さで内側に向けて突き出した支持棒の列が複数段に渡って設けられ、その同じ段の支持棒上に一枚のガラス板を載置するようにして複数のガラス板を収納するように構成するとともに、載置したガラス板の位置ずれ防止手段として、支持棒に下方に移動可能な小さな突起を長さ方向に渡って連続的に設けたことにより、一つのカセットで異なるサイズのガラス板にも対応することができ、しかも小さなサイズのガラス板を収納した場合、カセット移動中にそのガラス板が突起により動きを制限されるので位置ずれを起こすのを防止することができる。
【図面の簡単な説明】
【図１】従来のガラス板搬送用カセットの一例を示す正面図である。
【図２】図１のＡ−Ａ断面図である。
【図３】本発明に係るガラス板搬送用カセットの一例を示す正面図である。
【図４】図３に示すカセットの右側面図である。
【図５】図３のＡ−Ａ断面図である。
【図６】位置ずれ防止手段を設けた支持棒の側面図である。
【図７】別の位置ずれ防止手段を設けた支持棒の側面図である。
【図８】さらに別の位置ずれ防止手段を設けた支持棒の側面図である。
【符号の説明】
Ｐ  ガラス板
１１  上板
１２  下板
１３  サイド板
１４  支持棒
１４ａ  中心軸
１５  弾性部材
１６  移動部材
１７  回転部材
【図１】
0003957017.tif 000002
【図２】
0003957017.tif 000003
【図３】
0003957017.tif 000004
【図４】
0003957017.tif 000005
【図５】
0003957017.tif 000006
【図６】
0003957017.tif 000007
【図７】
0003957017.tif 000008
【図８】
0003957017.tif 000009